(57)【特許請求の範囲】
【請求項１】
頭部を覆う帽体と、該帽体内にあって該帽体を頭部に保持する着装体とを備え、前記帽体又は前記着装体に固定した耳掛け紐の所定位置を合成樹脂製の四角枠状の係止部材の一端にＶ字状に取り付け、前記係止部材の他端に顎紐を取り付けた安全帽において、前記係止部材は前記耳掛け紐を挿通するための第１のスリットと、前記顎紐を挿通するための第２のスリットと、前記第１のスリット内に設けた移動可能なバーとを有し、前記耳掛け紐は前記係止部材の片面側から前記第１のスリット内に挿入し前記バーを巻くようにして折り返し前記係止部材の同面側から前記耳掛け紐同士が重なり合うように引き出すことにより前記係止部材に固定し、前記顎紐は前記係止部材の第２のスリット内に挿入して折り返したことを特徴とする安全帽。
【請求項２】
前記顎紐はその長さを調整する長さ調整部材を取り付けた請求項１に記載の安全帽。
【請求項３】
前記係止部材は前記耳掛け紐における位置を調整可能に固定した請求項１に記載の安全帽。
【発明の詳細な説明】
【０００１】
【発明の属する技術分野】
本発明は、頭部を保護するために使用される安全帽に関するものである。
【０００２】
【従来の技術】
従来から安全帽は工場や作業場等において、労働安全基準法や社内規定等によってその着用が義務付けられている。この種の安全帽は、図４に示す特開平１０−１２１３１６号公報に記載されているように、頭部を覆う帽体１の内部には、環紐２、ハンモック３及びヘッドバンド４から成る着装体５が配置され、ヘッドバンド４が帽体１の複数個のブラケット１ａにおいて固定されることにより、着装体５が帽体１に取り付けられている。ヘッドバンド４の左右側にはそれぞれ耳掛け紐６が取り付けられ、図５に示すように耳掛け紐６には取付部６ａとして平テープ７の両端を縫い糸８により縫い付け、耳掛け紐６と平テープ７の間の挿通部９に顎紐１０を挿通してボタン１１で止めるようになっている。
【０００３】
【発明が解決しようとする課題】
しかしながら、この従来の固定式の安全帽においては、次のような問題点がある。
【０００４】
(1) 約１割弱の人にとっては、予め決められた耳掛け紐６の挿通部９の位置が不適当である。
【０００５】
(2) 挿通部９の付近においては耳掛け紐６が捻れたり、丸まって顔の側面に刺激的に当接し不快感が生ずる。
【０００６】
(3) デザイン、形状により、耳掛け紐の挿通部９の位置を変えた耳掛け紐６が必要となり、部品管理が煩雑となる。
【０００７】
本発明の目的は、上述した問題点を解消し、脱げ防止機能を向上させ、耳掛け紐の所定位置で顎紐に繋ぎ、感触が良い安全帽を提供することにある。
【０００８】
【課題を解決するための手段】
上記目的を達成するための本発明に係る安全帽は、頭部を覆う帽体と、該帽体内にあって該帽体を頭部に保持する着装体とを備え、前記帽体又は前記着装体に固定した耳掛け紐の所定位置を合成樹脂製の四角枠状の係止部材の一端にＶ字状に取り付け、前記係止部材の他端に顎紐を取り付けた安全帽において、前記係止部材は前記耳掛け紐を挿通するための第１のスリットと、前記顎紐を挿通するための第２のスリットと、前記第１のスリット内に設けた移動可能なバーとを有し、前記耳掛け紐は前記係止部材の片面側から前記第１のスリット内に挿入し前記バーを巻くようにして折り返し前記係止部材の同面側から前記耳掛け紐同士が重なり合うように引き出すことにより前記係止部材に固定し、前記顎紐は前記係止部材の第２のスリット内に挿入して折り返したことを特徴とする。
【０００９】
【発明の実施の形態】
本発明を図１〜図３に図示の実施例に基づいて詳細に説明する。
図１は安全帽を着用した状態の断面図を示し、頭部を覆う帽体３１の内部には、環紐３２、ハンモック３３及びヘッドバンド３４から成る着装体３５が配置され、ヘッドバンド３４が帽体３１の複数個のブラケット３１ａにおいて固定されることにより、着装体３５が帽体３１に取り付けられている。ヘッドバンド３４の左右側には、それぞれ耳掛け紐３６が略Ｖ字状にホック３７を介して取り付けられており、更にこれらの耳掛け紐３６には係止部材３８がそれぞれ挿通されている。２つの係止部材３８間には顎紐３９が取り付けられ、顎紐３９にはその長さを調整するための長さ調整部材としてスライドバックル４０が設けられている。
【００１０】
図２は係止部材３８の正面図、図３は断面図を示しており、この係止部材３８は合成樹脂材から成り、耳掛け紐３６を挿通するためのスリット３８ａ、３８ｂが設けられ、これらのスリット３８ａ、３８ｂの間には移動可能なバー３８ｃが設けられ、更にスリット３８ａの縁部には鋸歯部３８ｄが設けられている。耳掛け紐３６はスリット３８ａを通し、バー３８ｃを巻くようにしてスリット３８ｂに潜り抜けて折り返されている。係止部材３８の他側には、顎紐３９を取り付けるためのスリット３８ｅが設けられており、スリット３８ｅには顎紐３９が挿通され、顎紐３９はボタン４１を用いて固定されている。
【００１１】
このような構成において、安全帽を着装し、耳掛け紐３６を耳部に掛け、顎紐３９を顎に掛け、スライドバックル４０を用いて顎紐３９の長さを調節し締め付けることにより、帽体３１を頭部に保持することができる。
【００１２】
顎紐３９を引くと、係止部材３８においてバー３８ｃが移動して耳掛け紐３６は鋸歯部３８ｄに押圧され喰い込み、係止部材３８の耳掛け紐３６に対する移動が防止される。また、耳掛け紐３６を係止部材３８に対して緩めることにより、係止部材３８の位置を耳掛け紐３６に沿って任意に移動させることができる。
【００１３】
従って、係止部材３８に対して耳掛け紐３６に挿通した係止部材３８を帽体３１又はヘッドバンド１４の水平面のおよそ中心を左右に横切る鉛直面内に位置するようにすれば、顎紐３９は耳掛け紐３６を介してヘッドバンド３４の前後を均等な力で引き付けることができ、帽体３１の前後方向への回転抑止力を向上させることが可能となる。また、係止部材３８の位置が中心では不適当な人は係止部材３８の耳掛け紐３６に対する位置を調整することができる。
【００１４】
なお、顎紐３９は係止部材３８に縫い付けにより固定もできるが、係止部材３８に対し実施例のようにボタン４１等を用いて取り外しできるようにした方が、汚れ易い顎紐３９を容易に交換することができる。
【００１５】
なお、上述した実施例ではスライドバック４０を用いて、顎紐３９の長さを調節したが、必ずしもスライドバック４０を用いることなく、係止部材３８に取り付けた顎紐３９の折り返し長さを調整することにより行ってもよい。
【００１６】
【発明の効果】
以上説明したように本発明に係る安全帽は、耳掛け紐に対する顎紐の取付部に係止部材を用い、使用時に係止部材が移動することなく、必要に応じて使用者が自ら係止部材の位置を調整することができる。また、係止部材の位置を調整することができるため、多種の安全帽において同一の耳掛け紐を使用することができる利点がある。更には、係止部材を用いたことにより耳掛け紐の顎紐との取付部における捻れや、丸まりを防止でき、装着時の不快感を解消することもできる。
【図面の簡単な説明】
【図１】  安全帽の断面図である。
【図２】  係止部材の正面図である。
【図３】  係止部材の断面図である。
【図４】  従来例の帽体を断面とした側面図である。
【図５】  耳掛け紐の部分斜視図である。
【符号の説明】
３１  帽体
３５  着装体
３６  耳掛け紐
３７  ホック
３８  係止部材
３９  顎紐
４０  スライドバックル
４１  ボタン
【図１】
0003776282.tif 000002
【図２】
0003776282.tif 000003
【図３】
0003776282.tif 000004
【図４】
0003776282.tif 000005
【図５】
0003776282.tif 000006